(57)【要約】【課題】  屋外でも使用できる耐久性・耐候性を有し、設置・移動が簡便で繰り返し使用も可能であり、製作サイズの任意性によく対応した床面設置の広告体を提供することを目的とする。【解決手段】  一定厚の弾性体基板と、該弾性体基板の上面に固着された一定厚の可撓性合成樹脂板からなる床面設置広告体であって、上記合成樹脂板の面積を上記弾性体基板の面積より若干小さく形成することにより、上記広告体の周囲に段部を形成し、かつ上記可撓性合成樹脂板の上面に広告情報を直接印刷することにより構成する。【選択図】図１
0003122755.tif 000002
【実用新案登録請求の範囲】
【請求項１】
一定厚の弾性体基板と、該弾性体基板の上面に固着された一定厚の可撓性合成樹脂板からなる床面設置広告体であって、
上記合成樹脂板の面積を上記弾性体基板の面積より若干小さく形成することにより、上記広告体の周囲に段部を形成し、
かつ上記可撓性合成樹脂板の上面に広告情報を直接印刷したものであることを特徴とする床面設置広告体。
【請求項２】
上記可撓性合成樹脂板の厚みは１ｍｍ〜５ｍｍであり、上記弾性体基板の厚みは１ｍｍ〜４ｍｍであることを特徴とする請求項１記載の床面設置広告体。
【請求項３】
上記弾性体基板は方形であり、上記可撓性合成樹脂板は上記弾性体基板と相似形状であることを特徴とする請求項１又は２記載の床面設置広告体。
【請求項４】
上記合成樹脂板への印刷は耐候性インクを使用したことを特徴とする請求項１〜３の何れかに記載の床面設置広告体。
【考案の詳細な説明】
【技術分野】
【０００１】
本考案は、床面設置広告体に関するものであり、商業施設・集客施設・イベント施設等の屋内及び屋外の床面において広告・商品説明・案内等の情報を表示する広告体に用いて好適なものである。
【背景技術】
【０００２】
従来、床面に設置して使用する広告体としては、薄いフィルム状のシート（厚さ０．２５ｍｍ等）の上面に広告面を設けると共に、その裏面に粘着層を設け、該粘着層を以って当該シートを床面に貼り付けて使用するものが提案されている（特許文献１、特許文献２）。
【０００３】
また、合成樹脂製の透明シートを袋状に形成し、該シート内にシート状の広告を挿入して広告体を構成し、当該広告体を床面に載置して使用する広告体が提案されている（特許文献３）。
【０００４】
【特許文献１】特開２０００−２７６０８７号公報
【特許文献２】特開２００４−１６３６２１号公報
【特許文献３】実用新案登録第３０４９９５０号公報
【考案の開示】
【考案が解決しようとする課題】
【０００５】
ところで、前者の広告体は、粘着層を以って床面に貼着するものであるため、貼る、はがすの行為を繰り返し行うことができず、一度貼ってはがすとフィルムが傷んで使えなくなるという課題がある。
【０００６】
また、床面に貼着後、通行人の歩行によりめくれが発生することもあり、補修に手間を要すると共に、新品の広告体と交換する等の多くの手間を要した。
【０００７】
また、貼付前に床面を清掃する、はがした後に床面に残された粘着層の残留成分を有機溶剤などで拭き取る等の手間も要するし、設置場所を容易に変更できないという課題もある。
【０００８】
後者の広告体は、広告体を透明シートで挟み込む構造であるため、内部の広告シートがずれることもあり、所定以上の大きさにすると内部の広告シートに部分的にしわが入る等、広告体としての見栄えが悪化する等の課題がある。
【０００９】
また、合成樹脂透明シートを床面に単に載置する構成であるため、設置場所の移動は可能ではあるが、広告体自体がずれ易く、平滑なタイル張りの床面等に載置した場合等、通行人が上部を歩行する際に危険でもあった。
【００１０】
本考案は上記従来の課題に鑑みてなされたものであり、粘着層を用いることなく床面にずれなく設置可能であり、設置・移動が簡便で、繰り返し使用も可能であり、しかも製作サイズも大きくすることができる床面設置広告体を提供することを目的とする。
【課題を解決するための手段】
【００１１】
上記の目的を達成するため本考案は、
第１に、一定厚の弾性体基板と、該弾性体基板の上面に固着された一定厚の可撓性合成樹脂板からなる床面設置広告体であって、上記合成樹脂板の面積を上記弾性体基板の面積より若干小さく形成することにより、上記広告体の周囲に段部を形成し、かつ上記可撓性合成樹脂板の上面に広告情報を直接印刷したものであることを特徴とする床面設置広告体により構成される。
【００１２】
上記弾性体基板は例えば１ｍｍ厚のゴム板（２）により構成することができる。上記可撓性合成樹脂板は例えば２ｍｍ厚の塩化ビニル板（３）により構成することができる。上記段部は例えばゴム板（２）の周囲に形成される段部（７）により構成することができる。上記広告情報の印刷は可撓性合成樹脂板の上面に直接印刷されるものであり、広告情報としては商品情報、イベント案内情報等の各種の情報が考えられる。上記合成樹脂板の面積を上記弾性体基板の面積より若干小さく形成するとは、広告体の周囲に１０ｍｍ乃至２０ｍｍのゴム板はみ出し部（６）が形成される程度に小さく形成することをいう。従って、上記床面設置広告体は、可撓性合成樹脂板及び弾性体基板の自重、及び合成ゴム等からなる弾性体基板の床面との摩擦力により接着等を用いることなく、床面に安定的に設置が可能となる。
【００１３】
第２に、上記可撓性合成樹脂板の厚みは１ｍｍ〜５ｍｍであり、上記弾性体基板の厚みは１ｍｍ〜４ｍｍであることを特徴とする上記第１記載の床面設置広告体により構成されるものである。
【００１４】
上記可撓性合成樹脂板の厚みは例えば約２ｍｍ、弾性体板の厚みは約１ｍｍ等が考えられるが、上記範囲内であれば任意に厚みを設定し得る。
【００１５】
第３に、上記弾性体基板は方形であり、上記可撓性合成樹脂板は上記弾性体基板と相似形状であることを特徴とする上記第１又は２記載の床面設置広告体により構成されるものである。
【００１６】
このように構成すると、方形の広告体の周囲に一定幅の段部が形成され、通行人のつまづき等を効果的に抑制し得る。
【００１７】
第４に、上記合成樹脂板への印刷は耐候性インクを使用したことを特徴とする上記第１〜３の何れかに記載の床面設置広告体により構成される。
【００１８】
上記耐候性インクは例えばＵＶインクを用いることができる。
【００１９】
尚、本項において本考案の構成に対応する実施形態中の部材の符号をかっこ書で付したが、これは対応関係を明確にするために便宜的に付したものであり、本考案の構成がこれら実施形態中の部材に限定されるものではない。
【考案の効果】
【００２０】
本考案に係る床面設置広告体は、接着剤等を用いることなく、自重及び摩擦力のみで床面に安定的に設置が可能であるため、設置が極めて簡単であると共に、使用においては移動が簡便となり、例えば店舗又は催事等の一日の営業時間に合わせて設置・移動又は片付けを任意に行うことができる。
【００２１】
また、広告情報を可撓性合成樹脂板に直接印刷するものであるため、印刷面が床面からめくれたりはがれたりすることはなく、人が上面を通行しても支障なく広告効果を維持し得る。
【００２２】
また、耐候性インクを使用することにより、屋内外を問わず設置が可能な床面設置広告体を実現し得る。
【００２３】
また、構造が単純であるため、床面設置広告体自体の製造も容易である。
【考案を実施するための最良の形態】
【００２４】
以下、本考案に係る床面設置広告体の実施形態を図１乃至図３により詳細に説明する。
【００２５】
１は、床面設置広告体であり、該広告体１において、２は厚さ約１ｍｍの長方形状のゴム板（弾性体基板）である。このゴム板２は、本広告体１の基板を構成するものであり、天然ゴム或は合成ゴムを所定厚の長方形板状に加工することにより構成されている。このゴム板２は厚みは１ｍｍ〜４ｍｍであるが、１ｍｍ程度が好ましい。
【００２６】
３は、上記ゴム板２の上面に接着された可撓性の塩化ビニル板（可撓性合成樹脂板）（厚さ約２ｍｍ）であり、上記ゴム板２と略相似形の長方形状をなすものである。この塩化ビニル板３の上面３ａは広告面として文字、図形等からなる各種の広告情報４が直接印刷されている。またこの塩化ビニル板３の下面３ｂには粘着剤層５が形成されており、当該粘着剤層５を以って上記ゴム板２の上面に貼着される。この塩化ビニル板の厚みは１ｍｍ〜５ｍｍであるが、２ｍｍ程度が好ましい。
【００２７】
この塩化ビニル板３は、上記ゴム板２シートより縦横ともに１０ｍｍ〜２０ｍｍ程度の小さなサイズを使用する。そして、この塩化ビニル板３を上記ゴム板２の上面２ａの中央部に貼着することにより、当該塩化ビニル板３の周囲に１０ｍｍ乃至２０ｍｍのゴム板はみ出部６が形成されるように構成されている。従って、この広告体１の周囲は、ゴム板はみ出し部６と上記塩化ビニル板３の外周部により段部７が全周に亘り形成された状態となっている。
【００２８】
さらに、上記塩化ビニル板３の上面３ａに直接印刷を施した後、その印刷面のさらに上面に印刷面保護用フィルムを設けても良いが、対候性の優れたＵＶインク等を使用することにより、必ずしも保護フィルムは必要としない。
【００２９】
この床面設置広告体１の大きさとしては、一例としてゴム板２の大きさが縦１５２０ｍｍ、横２０２０ｍｍ、塩化ビニル板３の大きさが縦１５００ｍｍ、横２０００ｍｍである。尚、本件考案に係る広告体１の大きさはこれに限定されず、各種の大きさに製造することができる。
【００３０】
上記塩化ビニル板３の上面３ａには、大型プリンタ等を用いて商品広告等を直接印刷(転写プリント)する。床面設置広告体としては、広告面は大きい程広告的効果も高いといえるが、塩化ビニル板３への印刷には被印刷物の大きさに限度がある。
【００３１】
現在のところ、例えばインカデジタルプリンター社(Ｉｎｃａ  Ｄｉｇｉｔａｌ  Ｐｒｉｎｔｅｒｓ)のフラットベットプリンタ「ＥＡＧＬＥ Ｈ」を使用することにより、最大で縦１６００ｍｍ、横２４００ｍｍのサイズの塩化ビニル板３に印刷することができる。よって、床面設置広告体１としては、縦１６２０ｍｍ、横２４２０ｍｍの大きさの広告体を製造することができる。
【００３２】
また、本件考案に係る床面設置広告体１は、屋内に限らず、屋外、例えばデパートの入り口外側等に設置することもできるため、印刷に使用するインクは耐候性の優れたもの（例えばＵＶインク）を用いることが好ましい。例えば、耐候性に優れたフジフィルムセリコール社(ＦＵＪＩＦＩＬＭ  Ｓｅｒｉｃｏｌ  Ｊａｐａｎ  Ｌｉｍｉｔｅｄ)製のＵＶインク「ＵＶ ＪＥＴ ＥＧ」を使用することが好ましい。
【００３３】
本考案の床面設置広告体１は上述のように構成されるものであるため、本考案の床面広告体１を製造するには、まず、所定の大きさ（例えば縦１６００ｍｍ、横２４００ｍｍ）の塩化ビニル板３（厚さ２ｍｍ）の上面３ａに大型印刷機を使用して広告情報４を直接印刷する。
【００３４】
その後、当該塩化ビニル板３より若干面積の大きいゴム板（例えば厚さ１ｍｍ、縦１６１０ｍｍ、横２４１０ｍｍ）を形成する。そして、上記塩化ビニル板３の裏面３ｂに粘着剤を塗布することで粘着剤層５を設け、該塩化ビニル板３を上記粘着剤層５を以って上記ゴム板２の中央部に貼着し、当該ゴム板２の周囲に合成ゴムシートのはみ出し部（ゴム板はみ出し部）６（図３）を設ける。
【００３５】
このように、上記はみ出し部６を形成することにより当該広告体１の周囲に段部７が形成され、これにより通行人がつまずくことを防止することができる。
【００３６】
上記床面設置広告体１の製造は、上述のような手順で行われ、これを機械化して自動生産することも可能である。
【００３７】
次に使用形態を示す。
【００３８】
図４に示すように、本考案に係る床面設置広告体１を、例えば百貨店８の入口８’から百貨店室内に入った直後の床面９に設置する。この場合、広告体１のサイズは例えば横１６００ｍｍ、縦２４００ｍｍとする。この広告体１の広告面には開催中の催事情報等が印刷されている。従って、当該広告体１を見た来場者は、出入口を通過する際に本日開催の催事情報を知り得る。
【００３９】
本考案の広告体１は、一定以上の面積があれば相当の重量と摩擦力を有するため、人の通行による位置ずれを生じることはない。即ち、当該広告体１を床面９に載置すると、そのゴム板２の裏面２ｂが床面９に密着する。さらに、広告体１の大きさが１６００ｍｍ×２４００ｍｍ程度になると、１ｍｍ厚のゴム板２と、２ｍｍ厚の塩化ビニル板３の合計重量が相当程度大きくなるため、当該広告体１を床面９に載置するだけで、当該重量とゴム板２の床面との摩擦力により、広告体１自体が容易にずれることのない床面設置広告体１を実現し得る。
【００４０】
よって、人が広告体１の上を通行しても、広告体１がずれることがなく、また、その重量によりめくれが生じることもない。
【００４１】
さらに、上記広告体１の四辺周囲の端部は、ゴム板はみ出し部６による段部７が設けられているため、側面から見ると階段状の形状をしており、通行人が当該広告体１につまずくことも防止し得る。
【００４２】
また、本考案の床面設置広告体１は、上述のように１枚のみの使用に限らず、イベント会場の通路の床面に、広告情報の異なる複数の広告体１を連続的に並設することもできる。
【００４３】
また、午前と午後でイベント内容が異なる場合は、午前に設置した上記広告体１を移動・保管し、午後のイベント内容を告知する広告体１と入れ替えることができる。床面９に粘着して固定していないため、移動を簡便に行うことができる。
【００４４】
また、本件広告体１は床面に接着していないため、同一の広告体１を異なる位置に設置することができ、複数個所に試験的に設置し、最終的に最も広告効果の高い位置に固定的に設置するということも可能となる。
【００４５】
また、本考案の広告体１の広告が印刷された塩化ビニル板３は、可撓性を有しているため、床面９に多少の凹凸があっても支障なく設置が可能である。
【００４６】
また、本考案の床面設置広告体１の広告情報は、耐候性のあるＵＶインクを使用しているため、例えば屋外に設置しても長期間使用可能な床面設置広告体１を実現し得る。
【００４７】
また、本考案に係る広告体は、構造を単純化したことにより、広告体のサイズと広告情報を１枚１枚変えて製作する多品種少量生産に容易に対応し得て、そのため広告情報をいち早く掲出できる効果がある。
【００４８】
上記実施形態では、長方形状の床面設置広告体１を示したが、当該広告体１の形状はこれに限らず、三角形、楕円形、円形等の各種の形状が考えられるが、塩化ビニル板３はゴム板に相似形状に形成し、上記段部を周囲に形成することが好ましい。
【産業上の利用可能性】
【００４９】
本考案は、耐久性があり使用方法が簡便な床面設置の広告体として、商業施設・集客施設・イベント施設及び個人店舗等において、その屋内・屋外を問わず、広告・商品説明・案内等に関する情報を表示した広告体として広く利用することができる。
【００５０】
具体的には、複合商業ビル等の出入口・通路の床面に設置した、催事情報・商品広告等の告知マットとしての使用、イベント会場内の出入口・通路の床面又はイベント会場周辺に設置した、イベント内容の案内・誘導又は出展商品の広告等の告知マットとしての使用、デパート・店舗等の出入口周辺、売場周辺の床面に設置した、商品広告・店舗内情報などの告知マットとして使用することができる。
【図面の簡単な説明】
【００５１】
【図１】本考案に係る床面設置広告体の斜視図である。
【図２】同上広告体の平面図である。
【図３】図２Ａ−Ａ線による断面図である。
【図４】同上広告体を百貨店の入口近傍に設置した場合の実施形態を示す図である。
【符号の説明】
【００５２】
１      床面設置広告体
２      ゴム板
２ａ    上面
３      塩化ビニル板
３ａ    上面
４      広告情報
５      粘着剤層
６      ゴム板はみ出し部
７      段部
【図１】
0003122755.tif 000003
【図２】
0003122755.tif 000004
【図３】
0003122755.tif 000005
【図４】
0003122755.tif 000006